(57)【要約】【課題】病変ハプトグロビンの検出を精度高く行うために、強い結合力を有しフコースへの特異性の高いレクチンを利用した検出方法を提供する。【解決手段】本発明の膵臓癌の検出方法は、生体から取得した検体に含まれる病変ハプトグロビンを、（１）担子菌から抽出することができ、（２）ＳＤＳポリアクリルアミド電気泳動法による分子量が４，０００〜４０，０００であり、及び、（３）フコースα１→６糖鎖に対して結合定数１．０×１０４Ｍ−１以上（２５℃において）で示されるフコースα１→６特異的レクチンを作用させて検出することを特徴とする。
2011089988.tif 000002
【特許請求の範囲】
【請求項１】
生体から取得した検体に含まれる病変ハプトグロビンに、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌の検出方法。
【請求項２】
前記フコースα１→６特異的レクチンは、さらに、（４）フコースα１→６糖鎖を含まないハイマンノース糖鎖及び／又は糖脂質に対して実質的に結合しないことを特徴とする、請求項１に記載の膵臓癌の検出方法。
【請求項３】
前記担子菌が、モエギタケ科、キシメジ科、テングタケ科又はタコウキン科に属することを特徴とする、請求項１に記載の膵臓癌の検出方法。
【請求項４】
前記担子菌が、ツチスギタケ、スギタケ、ヌメリスギタケモドキ、サケツバタケ、クリタケ、コムラサキシメジ又はベニテングタケであることを特徴とする、請求項３に記載の膵臓癌の検出方法。
【請求項５】
前記検体は、ヒトから採取した血清又は血漿であることを特徴とする、請求項１に記載の膵臓癌の検出方法。
【請求項６】
前記フコースα１→６特異的レクチンと1種以上のレクチン又は抗体を用いて病変ハプトグロビンを検出することを特徴とする、請求項１に記載の膵臓癌の検出方法。
【請求項７】
前記フコースα１→６特異的レクチンと抗ハプトグロビン抗体とを用いたアッセイにより、病変ハプトグロビンを検出することを特徴とする、請求項１に記載の膵臓癌の検出方法。
【請求項８】
前記フコースα１→６特異的レクチンは、標識されていることを特徴とする、請求項１に記載の膵臓癌の検出方法。
【請求項９】
血清中のＣＡ１９−９量が３０U／ｍＬ以上である生体から取得した検体に含まれる病変ハプトグロビンに、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌と膵炎との判別方法。
【請求項１０】
前記フコースα１→６特異的レクチンは、さらに、（４）フコースα１→６糖鎖を含まないハイマンノース糖鎖及び／又は糖脂質に対して実質的に結合しないことを特徴とする、請求項９に記載の膵臓癌と膵炎との判別方法。
【請求項１１】
前記担子菌が、モエギタケ科、キシメジ科、テングタケ科又はタコウキン科に属することを特徴とする、請求項９に記載の膵臓癌と膵炎との判別方法。
【請求項１２】
前記担子菌が、ツチスギタケ、スギタケ、ヌメリスギタケモドキ、サケツバタケ、クリタケ、コムラサキシメジ又はベニテングタケであることを特徴とする、請求項１１に記載の膵臓癌と膵炎との判別方法。
【請求項１３】
前記検体は、ヒトから採取した血清又は血漿であることを特徴とする、請求項９に記載の膵臓癌と膵炎との判別方法。
【請求項１４】
前記フコースα１→６特異的レクチンと1種以上のレクチン又は抗体を用いて病変ハプトグロビンを検出することを特徴とする、請求項９に記載の膵臓癌と膵炎との判別方法。
【請求項１５】
前記フコースα１→６特異的レクチンと抗ハプトグロビン抗体とを用いたアッセイにより、病変ハプトグロビンを検出することを特徴とする、請求項９に記載の膵臓癌と膵炎との判別方法。
【請求項１６】
前記フコースα１→６特異的レクチンは、標識されていることを特徴とする、請求項９に記載の膵臓癌と膵炎との判別方法。
【請求項１７】
フコースα１→６特異的レクチンであって、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示される前記フコースα１→６特異的レクチンを含む、膵臓癌及び／又は膵炎の検出用診断薬又はキット。
【請求項１８】
さらに、抗ハプトグロビン抗体を含む、請求項１７に記載の膵臓癌及び／又は膵炎の検出用診断薬又はキット。
【請求項１９】
さらに、抗ＣＡ１９−９抗体を含む、請求項１７に記載の膵臓癌及び／又は膵炎の検出用診断薬又はキット。
【発明の詳細な説明】
【技術分野】
【０００１】
本発明は、膵臓癌の検出方法に関し、より詳細には病変ハプトグロビンを腫瘍マーカーとする膵臓癌の検出方法に関する。
【背景技術】
【０００２】
膵臓は身体の中心に位置するため、癌が発生しても発見することが困難である。膵臓癌診断のための腫瘍マーカーとしては、ＣＥＡ（基準値５．０ng/ｍL）、ＣＡ１９−９（基準値３７U/mL）等がある。これらの腫瘍マーカーによる結果は偽陽性を含むことがあり、腫瘍マーカーのみでは信頼度の高い結果を得ることができない。膵臓癌を確認するには、コンピュータ断層撮影（ＣＴ）、内視鏡的逆行性胆管膵管造影（ＥＲＣＰ）、超音波内視鏡（ＥＵＳ）、血管造影等の高価な精密検査が必要になる。このうち、ＥＲＣＰ、ＥＵＳは侵襲性があり、患者への負担が大でもある。【０００３】
膵臓癌になると、糖タンパクの一種であるハプトグロビンにフコースが付加されることが最近報告された（非特許文献１及び２、並びに特許文献１）。非特許文献１によれば、この病変ハプトグロビンは、膵臓癌の病期の進展とともに増え、膵臓癌の腫瘍部摘出後には消失する。【０００４】
ヒトハプトグロビンは、４０６個のアミノ酸からなる糖タンパク質であり、そのβ鎖（分子量４０，０００）に４個のＮ結合型糖鎖結合部位を有する。ヒトハプトグロビンは、健康な成人の血清に０．７〜１．７ｍｇ／ｍＬの濃度と多量に存在する。ハプトグロビンの中から病変ハプトグロビンを精度高く検出することができれば、早期癌を含む膵臓癌の腫瘍マーカーとして病変ハプトグロビンを利用することが現実化する。【０００５】
癌化に伴う細胞表面の糖鎖構造の変化や転移に関わる情報を得るために、糖鎖に結合するレクチンを利用することが考えられる。従来、フコースを検出するレクチンとして、ヒイロチャワンタケレクチン（ＡＡＬ）、レンズマメレクチン（ＬＣＡ）、ミヤコグサレクチン（Ｌｏｔｕｓ）、ハリエニシダレクチン（ＵＥＡ−Ｉ）等が知られている。しかし、これらの従来のレクチンを用いた検出方法では、健常者と膵臓癌患者との間で有意差が出にくい。
【先行技術文献】
【特許文献】
【０００６】
【特許文献１】特開２００９−１６８４７０
【非特許文献】
【０００７】
【非特許文献１】Ｆｕｃｏｓｙｌａｔｅｄ  ｈａｐｔｏｇｌｏｂｉｎ  ｉｓ  ａ  ｎｏｖｅｌ  ｍａｒｋｅｒ  ｆｏｒ  ｐａｎｃｒｅａｔｉｃ  ｃａｎｃｅｒ：  ａ  ｄｅｔａｉｌｅｄ  ａｎａｌｙｓｉｓ  ｏｆ  ｔｈｅ  ｏｌｉｇｏｓａｃｃｈａｒｉｄｅ  ｓｔｒｕｃｔｕｒｅ  ａｎｄ  ａ  ｐｏｓｓｉｂｌｅ  ｍｅｃｈａｎｉｓｍ  ｆｏｒ  ｆｕｃｏｓｙｌａｔｉｏｎ．Ｏｋｕｙａｍａ  Ｎ，et.al., Ｉｎｔ  Ｊ  Ｃａｎｃｅｒ．  ２００６  Ｊｕｎ  １；１１８（１１）：２８０３−８．
【非特許文献２】Ｓｉｔｅ−ｓｐｅｃｉｆｉｃ  ａｎａｌｙｓｉｓ  ｏｆ  Ｎ−ｇｌｙｃａｎｓ  ｏｎ  ｈａｐｔｏｇｌｏｂｉｎ  ｉｎ  ｓｅｒａ  ｏｆ  ｐａｔｉｅｎｔｓ  ｗｉｔｈ  ｐａｎｃｒｅａｔｉｃ  ｃａｎｃｅｒ：  ａ  ｎｏｖｅｌ  ａｐｐｒｏａｃｈ  ｆｏｒ  ｔｈｅ  ｄｅｖｅｌｏｐｍｅｎｔ  ｏｆ  ｔｕｍｏｒ  ｍａｒｋｅｒｓ．Ｎａｋａｎｏ  Ｍ，et.al., Ｉｎｔ  Ｊ  Ｃａｎｃｅｒ．  ２００８  Ｍａｙ  １５；１２２（１０）：２３０１−９
【発明の概要】
【発明が解決しようとする課題】
【０００８】
本発明の目的は、病変ハプトグロビンの検出を精度高く行うために、病変ハプトグロビンに特異的に結合するレクチンを利用する検出方法を提供することにある。
【課題を解決するための手段】
【０００９】
本発明者らは、上記課題を鋭意検討した結果、以下の発明によって解決できることを見いだした。本発明は、生体から取得した検体に含まれる病変ハプトグロビンに、
（１）担子菌から抽出することができ、
（２）ドデシル硫酸ナトリウムポリアクリルアミド電気泳動法（以下、ＳＤＳポリアクリルアミド電気泳動法と記載する）による分子量が４，０００〜４０，０００であり、
及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌の検出方法を提供する。【００１０】
前記フコースα１→６特異的レクチンは、さらに、（４）フコースα１→６糖鎖を含まないハイマンノース糖鎖及び／又は糖脂質に対して実質的に結合しないことが好ましい。【００１１】
前記担子菌は、モエギタケ科、キシメジ科、テングタケ科又はタコウキン科に属するものであることが好ましい。前記担子菌は、特にツチスギタケ、スギタケ、ヌメリスギタケモドキ、サケツバタケ、クリタケ、コムラサキシメジ又はベニテングタケである。【００１２】
前記検体は、例えばヒトから採取した血清又は血漿である。【００１３】
本発明の膵臓癌の検出方法は、特に、前記フコースα１→６特異的レクチンと抗ハプトグロビン抗体とを用いたアッセイにより、病変ハプトグロビンを検出することが好ましい。【００１４】
前記フコースα１→６特異的レクチンは、標識されていることが好ましい。【００１５】
さらに、血清中の腫瘍マーカーＣＡ１９−９量が３０U／ｍＬ以上である生体から取得した検体に含まれる病変ハプトグロビンに前記フコースα１→６特異的レクチンを作用させることを特徴とする、膵臓癌と膵炎との判別方法もまた提供する。血清中の腫瘍マーカーＣＡ１９−９量は、３２Ｕ／ｍＬ以上がより好ましく、３５Ｕ／ｍＬ以上がさらに好ましい。こうすることで、健常者と膵臓癌患者と膵炎患者とを明確に区別できる。【００１６】
本発明は、また、フコースα１→６特異的レクチンであって、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを含む、膵臓癌及び／又は膵炎の検出用診断薬又はキットを提供する。このキットには、抗ハプトグロビン抗体及び／又は抗ＣＡ１９−９抗体を含むことが好ましい。
【発明の効果】
【００１７】
本発明の膵臓癌の検出方法は、膵臓癌の腫瘍マーカーとしての利用が期待される病変ハプトグロビンを、従来のフコース特異的レクチンよりも精度高く検出することができる。その結果、従来、発見が困難であった膵臓癌の検出を容易に行うことができる。特に、本発明の方法は、血清を用いた癌検診に適用可能である点で利便性に優れる。さらに、本発明のフコースα１→６特異的レクチンと抗ハプトグロビン抗体を用いたアッセイによれば、膵臓癌を迅速かつ簡便に検出することが可能である。従来の腫瘍マーカーＣＡ１９−９の単独使用では、膵臓癌と膵炎との区別がつきにくかった。一方、本発明の膵臓癌と膵炎との判別方法では、マーカーＣＡ１９−９とのフコースα１→６特異的レクチンを併用することにより、膵臓癌と膵炎との判別が容易になる。
【図面の簡単な説明】
【００１８】
【図１】調製例１のＰＴＬのイオン交換クロマトグラフィーの溶出図である。
【図２】調製例１のＰＴＬのアフィニティクロマトグラフィーの溶出図である。
【図３】調製例２のＳＲＬの疎水クロマトグラフィーの溶出図である。
【図４】調製例２のＳＲＬの逆相クロマトグラフィーの溶出図である。
【図５】ヒト血清由来ハプトグロビン（血清ＨＰ）及び、膵臓癌細胞上清由来ハプトグロビン（癌細胞ＨＰ）を、それぞれ、本発明に従うＰＴＬと結合させた際の反応値（吸光度）を示す。
【図６】図５と同じく、血清ＨＰ及び癌細胞ＨＰを、それぞれ、比較例のＬＣＡと結合させた際の反応値を示す。
【図７】図５と同じく、血清ＨＰ及び癌細胞ＨＰを、それぞれ、比較例のＡＡＬと結合させた際の反応値を示す。
【図８】健常者、膵臓癌患者及び膵炎患者の血清由来のハプトグロビンと、本発明に従うＰＴＬとの結合試験の反応値（吸光度）を示す。
【図９】図８において、ＰＴＬを比較例のＡＡＬに代えた結合試験の反応値を示す。
【図１０】マウスモノクローナル抗CA１９―９抗体とラビットポリクローナル抗ＣＡ１９−９抗体によるサンドイッチアッセイで健常者血清、膵臓癌患者血清及び膵炎患者血清中のCA１９―９を定量した結果を示す。
【図１１】抗ハプトグロビン抗体（抗ＨＰ抗体）での結合試験により算出した血清中の相対ハプトグロビン量を示す。
【図１２】図８のＰＴＬ反応値を、図１１の対応する相対ハプトグロビン量で除した値を示す。
【図１３】図９のＡＡＬ反応値を、図１１の対応する相対ハプトグロビン量で除した値を示す。
【発明を実施するための形態】
【００１９】
本発明の膵臓癌の判別方法の一実施の形態を、より詳細に説明する。本発明の方法は、生体から取得した検体に含まれる病変ハプトグロビンを、以下の物性：
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）で示される
を有するフコースα１→６特異的レクチンを作用させて検出することを特徴とする。
【００２０】
本発明の検出方法は、下記化学式に示すようなフコースα１→６結合を特異的に認識するレクチンの使用が必須である。
【化１】
2011089988.tif 000003
〔式中、Ｍａｎはマンノース、ＧｌｃＮＡｃはＮ−アセチルグルコサミン、Ｆｕｃはフコースを意味する〕
【００２１】
本発明者らが新規に見いだしたフコースα１→６特異的レクチンによれば、膵臓癌の検出が容易である。このレクチンの理化学的性質を以下に詳述する。
（１）レクチンの由来
フコースα１→６特異的レクチンの由来となる原料は、担子菌である。担子菌の中でも、モエギタケ科、キシメジ科、タコウキン科及びテングタケ科に属することが好ましい。モエギタケ科としては、ツチスギタケ、サケツバタケ、クリタケ、スギタケ、ヌメリスギタケモドキ、ヌメリスギタケ等が挙げられる。キシメジ科としては、コムラサキシメジ等が挙げられる。タコウキン科としては、シロハカワラタケ、ツヤウチワタケ等が挙げられる。テングタケ科としては、ベニテングタケ等が挙げられる。これらの担子菌のうち、レクチンのフコースα１→６糖鎖認識特異性とレクチンの回収効率の観点から、モエギタケ科、キシメジ科又はテングタケ科が特に好ましく、さらに好ましくはツチスギタケ、スギタケ、ヌメリスギタケモドキ、サケツバタケ、クリタケ、コムラサキシメジ又はベニテングタケである。
【００２２】
（２）レクチンの分子量
前記フコースα１→６特異的レクチンのＳＤＳポリアクリルアミド電気泳動法による分子量は、４，０００〜４０，０００であり、好ましくは４，０００〜２０，０００である。ここで、ＳＤＳポリアクリルアミド電気泳動法による分子量は、例えばＬａｅｍｍｉの方法（Ｎａｔｕｒｅ，２２７巻，６８０頁，１９７６年）に準じて測定されるものである。
【００２３】
（３）レクチンの結合定数
前記フコースα１→６特異的レクチンのフコースα１→６糖鎖に対する結合定数は、１．０×１０４Ｍ−１以上であり、好ましくは１．０×１０５Ｍ−１以上、さらに好ましくは１．０×１０６Ｍ−１以上である。すなわち、フコースα１→６に親和性を有することが従来知られているＡＡＬ、麹菌レクチン（ＡＯＬ）、ＬＣＡ、ラッパズイセンレクチン（ＮＰＡ）及びエンドウマメレクチン（ＰＳＡ）と比べて、結合定数が著しく高い。これは、前記フコースα１→６特異的レクチンが、従来のレクチンと比べて極めて高い選択性をもってフコースα１→６糖鎖と結合することを意味する。
【００２４】
上記結合定数は、例えばフロンタルアフィニティクロマトグラフィー（ＦＡＣ）法により測定することができる。ＦＡＣ法の詳細は、例えばＰＣＴ／ＪＰ２００９／００３３４６に記載されている。ＰＣＴ／ＪＰ２００９／００３３４６を参照のために本明細書に編入する。
【００２５】
フコースα１→６糖鎖は、その非還元末端にシアル酸を有していてもよい。従来のフコースα１→６特異的レクチン（例えばＬＣＡ、ＮＰＡ及びＰＳＡ）は、非還元末端にシアル酸を有するフコースα１→６糖鎖に対して親和性が低かった。一方、前記フコースα１→６特異的レクチンは、このような糖鎖に対しても高い親和性を有する点でも従来のものより優れている。
【００２６】
（４）レクチンの糖結合特異性
前記フコースα１→６特異的レクチンは、フコースα１→６糖鎖を含まないハイマンノース糖鎖及び／又は糖脂質に対して実質的に結合しないことが好ましい。これにより、前記フコースα１→６特異的レクチンは、より一層高い結合特異性を有する。本明細書において、「実質的に結合しない」とは、結合定数が１．０×１０３Ｍ−１以下、好ましくは１．０×１０２Ｍ−１以下、特に好ましくは０であることを意味する。
【００２７】
（５）レクチンの分岐鎖への結合
前記フコースα１→６特異的レクチンは、フコースα１→６Ｎ結合型の一本、二本、三本及び／又は四本糖鎖に対して結合定数１．０×１０４Ｍ−１以上（２５℃において）で示される親和性を有することが好ましく、より好ましくは結合定数１．０×１０５Ｍ−１以上で示される親和性を有する。
【００２８】
（６）レクチンのアミノ酸配列
フコースα１→６特異的レクチンは、特に、表１の配列番号１に示すような共通のアミノ酸構造を有する。配列番号１の第４、５、６及び７番目のＸａａは、それぞれ、Ａｓｐ／Ａｓｎ／Ｇｌｕ／Ｔｈｒ、Ｔｈｒ／Ｓｅｒ／Ａｌａ、Ｔｙｒ／Ｐｈｅ及びＧｌｎ／Ｌｙｓ／Ｇｌｕを意味し、その斜線は「又は」を意味する。
【００２９】
本発明の方法に使用し得るフコースα１→６特異的レクチンの具体例を、配列番号２〜６に示す。配列番号２に示すレクチンは、ツチスギタケから抽出することのできる、分子量４，５００の新規なレクチン（ＰＴＬ）である。配列番号２の第１０及び１７番目のＸａａは、任意のアミノ酸残基であってよいが、好ましくはＣｙｓである。第２０、２３、２７、３３、３５及び３９番目のＸａａは、それぞれ、Ｔｙｒ／Ｓｅｒ、Ｐｈｅ／Ｔｙｒ、Ａｒｇ／Ｌｙｓ／Ａｓｎ、Ａｓｐ／Ｇｌｙ／Ｓｅｒ、Ａｓｎ／Ａｌａ、及び、Ｔｈｒ／Ｇｌｎである。
【００３０】
配列番号３に示すレクチンは、サケツバタケから抽出することのできる、分子量４，５００の新規なレクチン（ＳＲＬ）である。配列番号３の第１０及び１７番目のＸａａは、任意のアミノ酸残基であってよいが、好ましくはＣｙｓである。第４、７、９、１３、２０、２７、２９、３３、３４及び３９番目のＸａａは、それぞれ、Ｐｒｏ／Ｇｌｙ、Ｇｌｕ／Ｌｙｓ、Ｖａｌ／Ａｓｐ、Ａｓｎ／Ａｓｐ／Ｇｌｕ、Ｈｉｓ／Ｓｅｒ、Ｌｙｓ／Ｈｉｓ、Ｖａｌ／Ｉｌｅ、Ｇｌｙ／Ａｓｎ／Ｓｅｒ、Ａｌａ／Ｔｈｒ、及び、Ａｒｇ／Ｔｈｒである。
【００３１】
配列番号４に示すレクチンは、コムラサキシメジから抽出することのできる、分子量４，５００の新規なレクチン（ＬＳＬ）である。配列番号４の第１０及び１７番目のＸａａは、任意のアミノ酸残基であってよいが、好ましくはＣｙｓである。第１、４、７、８、９、１３、１６、２０、２２、２５、２７、３１及び３４番目のＸａａは、それぞれ、Ａｌａ／Ｇｌｎ、Ｐｒｏ／Ｌｙｓ、Ａｌａ／Ｓｅｒ、Ｍｅｔ／Ｉｌｅ／Ｖａｌ、Ｔｙｒ／Ｔｈｒ、Ａｓｐ／Ａｓｎ、Ｌｙｓ／Ｇｌｕ、Ａｌａ／Ａｓｎ、Ｖａｌ／Ａｓｐ／Ａｓｎ、Ａｓｐ／Ａｓｎ、Ａｒｇ／Ｈｉｓ／Ａｓｎ、Ｇｌｎ／Ａｒｇ、及び、Ｔｈｒ／Ｖａｌである。
【００３２】
配列番号５に示すレクチンは、クリタケから抽出することのできる新規なレクチン（ＮＳＬ）である。配列番号５の第１０及び１７番目のＸａａは、任意のアミノ酸残基であってよいが、好ましくはＣｙｓである。第１３、１４及び１６番目のＸａａは、それぞれ、Ａｓｐ／Ｔｈｒ、Ｓｅｒ／Ａｌａ、及び、Ｇｌｎ／Ｌｙｓである。
【００３３】
配列番号６に示すレクチンもまた、クリタケから抽出することのできる、分子量４，５００の新規なレクチン（ＮＳＬ）である。配列番号６は、配列番号５のペプチド中に１個のＡｓｎが挿入された変異体である。したがって、配列番号６の第１０及び１８番目のＸａａは、任意のアミノ酸残基であってよいが、好ましくはＣｙｓである。第１４、１５及び１７番目のＸａａは、それぞれ、Ａｓｐ／Ｔｈｒ、Ｓｅｒ／Ａｌａ及びＧｌｎ／Ｌｙｓである。
【００３４】
フコースα１→６特異的レクチンは、配列番号２〜６のレクチンがサブユニットとなって、通常、２〜１０個、好ましくは２〜４個結合したものでもよい。
【００３５】
【表１】
2011089988.tif 000004
【００３６】
フコースα１→６特異的レクチンは、（ａ）配列番号２〜５のいずれかに示すアミノ酸配列からなるタンパク質又はペプチドの他に、（ｂ）配列番号２〜５のいずれかに示すアミノ酸配列において、１又は複数のアミノ酸が欠失、挿入又は置換され、かつ、配列番号２〜５のいずれかに示すアミノ酸配列を有するタンパク質又はペプチドと機能的に同等なタンパク質又はペプチドであってもよい。ここで、「機能的に同等」とは、フコースα１→６糖鎖に対して結合定数１．０×１０４Ｍ−１以上であり、好ましくは１．０×１０５Ｍ−１以上、さらに好ましくは１．０×１０６Ｍ−１以上で示される親和性を有することを意味する。（ｂ）の変異体の一例が、配列番号６に示すタンパク質又はペプチドである。
【００３７】
前記フコースα１→６特異的レクチンは、特に好ましくはＰＴＬ、ＳＲＬ、ＮＳＬ、ＬＳＬ及びベニテングタケレクチン（ＡＭＬ）であり、さらに好ましくはＰＴＬ、及び、ＳＲＬである。ＰＴＬ及びＳＲＬは、従来のフコースα１→６親和性レクチンと相違して、フコースα１→６以外のフコースや、フコースを持たない高マンノース糖鎖と結合しない点で、本発明の判別方法に使用するフコースα１→６特異的レクチンとして最適である。
【００３８】
フコースα１→６特異的レクチンは、担子菌から、公知の抽出方法、分離方法、精製方法等を適宜組み合わせることにより、単離することができる。例えば、水系媒体を抽出溶媒として用いて、担子菌の水系媒体抽出物を得る工程を含む。この前記抽出物から、ＳＤＳポリアクリルアミド電気泳動法による分子量が４，０００〜４０，０００、好ましくは４，０００〜２０，０００、及び、フコースα１→６糖鎖に対する結合定数が１．０×１０４Ｍ−１以上、好ましくは１．０×１０５Ｍ−１以上、さらに好ましくは１．０×１０６Ｍ−１以上（２５℃において）で示される親和性を有するレクチンを得る。
【００３９】
前記担子菌は、モエギタケ科、キシメジ科、タコウキン科及びテングタケ科の少なくとも一種から選ばれることが好ましい。特に、ツチスギタケ（Ｐｈｏｌｉｏｔａ  ｔｅｒｒｅｓｔｒｉｓ  Ｏｖｅｒｈｏｌｔｓ）、スギタケ（Ｐｈｏｌｉｏｔａ  ｓｑｕａｒｒｏｓａ  （Ｆｒ．）  Ｋｕｍｍｅｒ）、ヌメリスギタケ（Ｐｈｏｌｉｏｔａ  ａｄｉｐｏｓａ  （Ｆｒ．）  Ｋｕｍｍｅｒ）、ナメコ（Pholiota nameko (T.Ito) S.Ito
& Imai）、サケツバタケ（Ｓｔｒｏｐｈａｒｉａ  ｒｕｇｏｓｏａｎｎｕｌａｔａ  Ｆａｒｌｏｗ  ｉｎ  Ｍｕｒｒ．）、クリタケ（Ｎａｅｍａｔｏｌｏｍａ  ｓｕｂｌａｔｅｒｉｔｉｕｍ  （Ｆｒ．）  Ｋａｒｓｔ又はＨｙｐｈｏｌｏｍａ  ｓｕｂｌａｔｅｒｉｔｉｕｍ（Ｆｒ．）Ｑｕｅｌ）等のモエギタケ科、コムラサキシメジ（Ｌｅｐｉｓｔａ  ｓｏｒｄｉｄａ  （Ｓｃｈｕｍ．  ：  Ｆｒ．）  Ｓｉｎｇ．）等のキシメジ科、シロハカワラタケ（Ｔｒｉｃｈａｐｔｕｍ  ｅｌｏｎｇａｔｕｍ）、ツヤウチワタケ（Ｍｉｃｒｏｐｏｒｕｓ  ｖｅｒｎｉｃｉｐｅｓ）等のタコウキン科、ベニテングタケ（Ａｍａｎｉｔａ  ｍｕｓｃａｒｉａ）等のテングタケ科に属するものが好ましい。これらの担子菌の使用部位は、子実体であることが好ましい。
【００４０】
水系媒体と担子菌の子実体とから、水系媒体抽出物を得る方法については、水系媒体と担子菌の子実体とを接触させることができれば特に制限はない。抽出効率の観点から、水系媒体中で担子菌の子実体を粉砕して懸濁液とする方法が好ましい。また、粉砕する方法としては、ミキサー、ホモジナイザー等を用いた通常の粉砕方法を挙げることができる。
【００４１】
上記水系媒体としては、緩衝液、水と混合し得る有機溶媒と水又は緩衝液との混合物等を挙げることができる。好ましくは、緩衝液又は有機溶媒と緩衝液との混合物である。
【００４２】
上記緩衝液としては、特に制限されることなく公知の緩衝液を用いることができる。中でも、ｐＨ３〜１０の範囲に緩衝能を有するものが好ましく、ｐＨ６〜８の範囲に緩衝能を有するものがより好ましい。具体的には、リン酸緩衝液、クエン酸緩衝液、酢酸緩衝液、トリス緩衝液等を挙げることができる。中でも、抽出効率の観点から、リン酸緩衝液が好ましい。
【００４３】
前記緩衝液の塩濃度は、特に制限はないが、抽出効率と緩衝能の点から、１〜１００ｍＭであることが好ましく、５〜２０ｍＭであることがより好ましい。
【００４４】
前記緩衝液は、さらに塩類を含むことができる。例えば、リン酸緩衝液に食塩を更に加えたリン酸緩衝化生理食塩水等は、水系媒体として好ましい。
【００４５】
前記有機溶媒としては、水と混合し得る有機溶媒であれば特に制限なく用いることができる。中でも、アセトン、メタノール、エタノール、２−プロパノール及びアセトニトリルが好ましい。有機溶媒と水又は緩衝液とを混合する場合の有機溶媒の含有量としては、１０〜４０質量％であることが好ましい。
【００４６】
前記抽出工程は、水系媒体と担子菌の子実体との混合物から、水系媒体に対する不溶物を除去する工程を更に含むことが好ましい。不溶物の除去方法としては、ろ過、遠心分離等の方法を挙げることができるが、除去効率の観点から遠心分離が好ましい。
【００４７】
前記抽出工程は、リン酸緩衝化生理食塩水中で、担子菌の子実体を粉砕し、遠心分離によって不溶物を除去して水系媒体抽出物を得る工程であることが特に好ましい。
【００４８】
前記フコースα１→６特異的レクチンの製造方法では、以下のいずれかの精製手段を採用すると、一層効率的な精製が可能となる。
（精製方法１）
上記工程によって得られた水系媒体抽出物を、硫酸アンモニウム沈殿法にかけることによってレクチン含有画分を得て、得られたレクチン画分を疎水クロマトグラフィー及び逆相クロマトグラフィーで精製する。
【００４９】
（精製方法２）
上記工程によって得られた水系媒体抽出物を、チログロブリンをアガロース等に固定した担体を用いたアフィニティクロマトグラフィーに供して精製する。
【００５０】
（精製方法３）
上記工程によって得られた水系媒体抽出物を、硫酸アンモニウム沈殿法にかけることによってレクチン含有画分を得て、透析凍結乾燥を行った後、粗レクチン画分をトリス緩衝液に溶解後、イオン交換クロマトグラフィーに供し、得られた活性画分を濃縮後、ゲルろ過クロマトグラフィーで分離する。
【００５１】
フコースα１→６特異的レクチンの製造方法には、前記精製工程で得られたレクチンを含む画分を透析処理する工程と、透析処理後のレクチン溶液を凍結乾燥する工程とを含んでもよい。これにより、レクチンを容易に単離することができる。透析処理する工程及び凍結乾燥する工程は、通常用いられる公知の方法によって行うことができる。
【００５２】
（ａ）配列番号２〜５のいずれかに示すアミノ酸配列からなるタンパク質又はペプチド、若しくは、（ｂ）配列番号２〜５のいずれかに示すアミノ酸配列において、１又は複数のアミノ酸が欠失、挿入又は置換され、かつ、配列番号２〜５のいずれかに示すアミノ酸配列を有するタンパク質又はペプチドと機能的に同等なタンパク質又はペプチドであるフコースα１→６特異的レクチンは、天然植物からの抽出のほかに、天然由来とは異なる宿主内で人工的に発現させ、又は化学合成させてもよい。宿主内での発現や化学合成は、通常用いられる公知の方法によって行うことができる。
【００５３】
前記検出に用いるフコースα１→６特異的レクチンには、予め標識手段が組み込まれていることが好ましい。このようなレクチンを以下、標識レクチンということがある。標識レクチンは、フコースα１→６特異的レクチンと標識手段とを少なくとも含み、検出可能に標識化されている。
【００５４】
前記標識手段としては、特に制限なく公知の標識化方法を適用することができ、例えば、放射性同位元素による標識化、標識化合物の結合等を挙げることができる。
【００５５】
前記標識化合物としては、この用途に通常用いられるものであれば特に制限なく適用することができ、例えば、直接又は間接標識化合物、酵素、蛍光化合物等を挙げることができる。具体的には、ビオチン、ジゴキシゲニン、西洋ワサビ由来ペルオキシダーゼ、フルオレセインイソチオシアネート、ＣｙＤｙｅ等を挙げることができる。これらの標識化合物は、常法によりレクチンと結合することができる。
【００５６】
前記検体は、ヒトを含む動物からなる生体から取得したものであれば特に制限なく、例えば血液、血漿、血清、涙、唾液、体液、乳汁、尿、細胞の培養上清、形質転換動物からの分泌物等が挙げられる。本発明の検出方法を膵臓癌検診に使用する場合、検体にヒトから採取した血清又は血漿を用いることができる。血液からの血清の抽出は常法による。
【００５７】
フコースα１→６特異的レクチンは、フコースα１→６結合を有する糖鎖（例えば、表１に示すイムノグロブリンG、α−フェトプロテイン、前立腺特異抗原等）であれば、高い親和性を有する。これらの糖鎖の検出を排除するために、本発明の膵臓癌の検出方法は、フコースα１→６特異的レクチンと抗ハプトグロビン抗体とを用いたサンドイッチアッセイにより、病変ハプトグロビンを検出することが好ましい。
【００５８】
サンドイッチアッセイでは、まず、細胞培養上清、血清等の検体に抗ハプトグロビン抗体と反応させて、ハプトグロビン又は病変ハプトグロビンと抗ハプトグロビン抗体結合体を得る。これらの結合体を、アフィニティクロマトグラフィー、免役沈降等で単離精製する。次いで、結合体にフコースα１→６特異的レクチンと反応させ、レクチン−病変ハプトグロビン−抗ハプトグロビン抗体結合体を得る。
【００５９】
なお、サンドイッチアッセイは、まず、病変ハプトグロビンを含む検体とフコースα１→６特異的レクチンと反応させて、レクチン−病変ハプトグロビン結合体を得、次いで、レクチン−病変ハプトグロビン結合体に抗ハプトグロビン抗体を反応させて、レクチン−病変ハプトグロビン−抗ハプトグロビン抗体結合体を得てもよい。
【００６０】
ハプトグロビンを特異的に認識することができる抗ハプトグロビン抗体は、常法に基づいて得ることができる。一例として、抗原としてのハプトグロビンを動物に免疫することにより得る方法がある。抗ハプトグロビン抗体は、ポリクローナル抗体、モノクローナル抗体の何れでもよい。
【００６１】
フコースα１→６特異的レクチンと病変ハプトグロビンとの結合の検出には、ＥＬＩＳＡ（サンドイッチＥLＩＳＡ等）、レクチンクロマトグラフィー、レクチンブロット、レクチン染色、レクチンチップ、凝集法、Ｂｉａｃｏｒｅ（登録商標）システム等の表面プラズモン共鳴法等が挙げられる。特に、アビジン−ビオチン又はストレプトアビジン−ビオチン系を用いる検出が、感度が高い点で好ましい。
【００６２】
サンドイッチＥＬＩＳＡ法では、プレートに抗ハプトグロビン抗体を添加し固定化してから、血清等の検体を添加する。次いで、ビオチン標識したフコースα１→６特異的レクチンを添加して、血清に含まれる病変ハプトグロビンとフコースα１→６特異的レクチンとを反応させる。２次標識化合物としてＨＲＰ（ホースラディッシュパーオキシダーゼ）標識ストレプトアビジン溶液を添加して、アビジンとストレプトアビジンとを反応させる。次いで、ＨＲＰ用発色基質を加えて発色させ、発色強度を吸光光度計（ＨＲＰの場合波長４５０ｎｍ）で測定する。予め、既知の濃度の病変ハプトグロビンを含む標準試料によって検量線を作成しておけば、病変ハプトグロビンの定量化も可能である。
【００６３】
レクチンクロマトグラフィーは、担体に固定化されたレクチンが糖鎖と特異的に結合する性質を利用したアフィニティクロマトグラフィーである。ＨＰＬＣと組み合わせることでハイスループットを期待することができる。
【００６４】
フコースα１→６特異的レクチンの固定化担体としては、アガロース、デキストラン、セルロース、スターチ、ポリアクリルアミド等のゲル材が一般的である。これらには、市販のものを特に制限なく使用でき、例えばセファロース４Ｂやセファロース６Ｂ（共にＧＥヘルスケアバイオサイエンス社製）が挙げられる。レクチンクロマトグラフィーに用いるカラムとしては、マイクロプレートやナノウエルにレクチンを固定化したものも含まれる。
【００６５】
固定化するフコースα１→６特異的レクチンの濃度は、通常、０．００１〜１００ｍｇ／ｍＬ、好ましくは０．０１〜２０ｍｇ／ｍＬである。担体がアガロースゲルの場合、それをＣＮＢｒ等で活性化してからレクチンとカップリングさせる。活性化スペーサーを導入したゲルにレクチンを固定化してもよい。さらには、ホルミル基を導入したゲルにレクチンを固定化してからＮａＣＮＢＨ３で還元してもよい。また、ＮＨＳ−セファロース（ＧＥヘルスケアバイオサイエンス社製）のような市販の活性化ゲルを使用してもよい。
【００６６】
フコースα１→６糖鎖試料をカラムにかけた後、洗浄の目的で緩衝液を流す。緩衝液の一例は、モル濃度が５〜５００ｍＭ、好ましくは１０〜５００ｍＭであり、ｐＨが４．０〜１０．０、好ましくは６．０〜９．０であり、ＮａＣｌ含量が０〜０．５Ｍ、好ましくは０．１〜０．２Ｍであり、ＣａＣｌ２、ＭｇＣｌ２、又は、ＭｎＣｌ２含量が０〜１０ｍＭ、好ましくは０〜５ｍＭの緩衝液である。
【００６７】
アフィニティカラムの洗浄後、フコースα１→６糖鎖の溶出は、糖鎖を有効に溶出できる中性の非変性緩衝液中で、塩化ナトリウム、ハプテン糖等の脱着剤を用いて行われる。この緩衝液は、上記と同様であってもよい。脱着剤の濃度は、好ましくは、１〜５００ｍＭ、特に好ましくは１０〜２００ｍＭ濃度である。
【００６８】
本発明は、また、血清中のＣＡ１９−９量が３０U／ｍＬ以上である生体から取得した検体に含まれる病変ハプトグロビンに、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌と膵炎との判別方法を提供する。本判別方法の操作は、検体として血清中のＣＡ１９−９量が３０U／ｍＬ以上である生体から取得したものを使用する以外は、前記膵臓癌の検出方法と同様である。従来の腫瘍マーカーＣＡ１９−９の単独使用では、表３及び図１０に示すように、膵臓癌と膵炎との区別がつきにくかった。一方、マーカーＣＡ１９−９及びフコースα１→６特異的レクチンを併用する本発明の膵臓癌と膵炎との判別方法によれば、図８に示すように、膵臓癌と膵炎との判別が容易になる。
【００６９】
本発明は、また、フコースα１→６特異的レクチンであって、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）で示される親和性を有する
フコースα１→６特異的レクチンを含む、膵臓癌及び／又は膵炎の検出用診断薬又はキットを提供する。上記レクチンは、標識されていることが好ましい。
上記診断薬又はキットには、適宜、標識（酵素とその発色基質、放射性同位元素、発光物質、蛍光物質、着色物質）、緩衝液、プレート、反応停止液等の診断薬キットに公知のものを含む。特に、生体から取得した検体からハプトグロビンを抽出するための試薬（例えば抗ハプトグロビン抗体）を含むことが好ましい。
【実施例】
【００７０】
以下に、本発明の実施例を示して、本発明をより詳細に説明する。しかし、本発明は、以下の実施例に限定されるものではない。
〔調製例１〕ＰＴＬの製造
以下に示す精製工程に従って、ツチスギタケからツチスギタケレクチン（ＰＴＬ）を単離精製した。【００７１】
（抽出）
ツチスギタケ約７．５ｇを凍結乾燥して得られたツチスギタケ凍結乾燥粉末２．５ｇに、１０ｍＭ  トリス緩衝液（ｐＨ７．２）５０ｍＬを加えて、４℃下で２時間抽出した。この液を、遠心分離（１５，０００ｒｐｍ、２０ｍｉｎ、４℃）後、上清をガーゼろ過して１回目の抽出液を得た。この抽出残渣に、１０ｍＭ  トリス緩衝液（ｐＨ７．２）を５０ｍＬ加えて、４℃下で一晩抽出した。この液を遠心分離（１５，０００ｒｐｍ、２０ｍｉｎ、４℃）後、上清をガーゼろ過して２回目の抽出液を得た。これらの抽出液を合わせてろ紙でろ過し、ツチスギタケ抽出液とした。【００７２】
（イオン交換クロマトグラフィー）
上記抽出液８７ｍＬを、１０ｍＭ  トリス緩衝液（ｐＨ７．２）で平衡化したＤＥＡＥ−セファロース（ＧＥヘルスケアバイオサイエンス社製）に供した。同緩衝液でカラムを洗浄後、０．１Ｍ  ＮａＣｌを含む１０ｍＭ  トリス緩衝液（ｐＨ７．２）で溶出した。赤血球凝集活性を示す画分（図１の←→部）を合一し、限外ろ過で脱塩後凍結乾燥した。【００７３】
（アフィニティクロマトグラフィー）
上記凍結乾燥粉末を、１０ｍＭ  リン酸緩衝化生理食塩水（ｐＨ７．４、以後、ＰＢＳと略す）で溶解し、同緩衝液で平衡化したチログロブリン固定化アガロースに供した。ＰＢＳでカラムを洗浄後、０．２Ｍ  アンモニアで溶出した。赤血球凝集活性を示す画分（図２の←→部）を合一し、限外ろ過で純水に置換後凍結乾燥し、ＰＴＬを１．０７ｍｇ得た。ＰＴＬの（２）分子量、（３）結合定数、（４）糖結合特異性、（５）分岐鎖への結合及び（６）アミノ酸配列に関する理化学的性質は、前述のＰＣＴ／ＪＰ２００９／００３３４６に記載されている。【００７４】
〔調製例２〕ＳＲＬの製造
以下に示す精製工程に従って、サケツバタケからサケツバタケレクチン（ＳＲＬ）を単離精製した。
（抽出）
サケツバタケ約４００ｇを凍結乾燥して得られたサケツバタケ凍結乾燥粉末４０ｇに、１．６ＬのＰＢＳを加え、４℃下で２時間抽出した。この液を、遠心分離（１０，０００ｒｐｍ、２０ｍｉｎ、４℃）後、上清をガーゼろ過して１回目抽出液を得た。この抽出残渣にＰＢＳ  ０．８Ｌを加え、４℃下で一晩抽出した。この液を遠心分離（１０，０００ｒｐｍ、２０ｍｉｎ、４℃）後、上清をガーゼろ過して２回目抽出液を得た。これらの抽出液をあわせてサケツバタケ抽出液とした。【００７５】
（硫安沈殿）
上記抽出液２．４Ｌに対して、硫酸アンモニウム濃度が８０％飽和になるように硫酸アンモニウム１．３ｋｇを添加して攪拌した。完全に溶解したことを確認した後、７℃下で一晩静置した。この溶液を遠心（１０，０００ｒｐｍ、２０ｍｉｎ、４℃）し、沈殿に純水を少量添加し、懸濁してサケツバタケ８０％  硫酸アンモニウム沈殿画分を回収した。【００７６】
（疎水クロマトグラフィー）
上記サケツバタケ８０％  硫酸アンモニウム沈殿画分を、２Ｍ  硫酸アンモニウム−ＰＢＳで平衡化したブチル−トヨパール６５０Ｍ（東ソー（株）製）に供して、疎水クロマトグラフィー精製を行った。このクロマトグラフィーにおいて、純水溶出画分を合一し、透析及び凍結乾燥を行い、サケツバタケレクチン粗画分を得た（図３の←→部）。【００７７】
（逆相クロマトグラフィー）
上記サケツバタケレクチン粗画分を、０．０５％  トリフルオロ酢酸（ＴＦＡ）−０％  アセトニトリルで平衡化したＣ８カラム（和光純薬（株）製）に供して、逆相クロマトグラフィーで精製した。このクロマトグラフィーにおいて、０．０５％  ＴＦＡ−３０％  アセトニトリル溶出画分（図４の←→部）を合一し、常温、減圧下で溶媒を除去して得られた乾燥粉末を合一して、ＳＲＬを７．５ｍｇ得た。ＳＲＬの（２）分子量、（３）結合定数、（４）糖結合特異性、（５）分岐鎖への結合及び（６）アミノ酸配列に関する理化学的性質は、前述のＰＣＴ／ＪＰ２００９／００３３４６に記載されている。【００７８】
〔参考例１〕血清中の各種糖タンパク質のレクチンによる検出【００７９】
表１に示す糖タンパク質と、以下に示すビオチン標識レクチンとの親和性をＥＬＩＳＡ法で調べた。
ＰＴＬ（本発明に使用可能なフコースα１→６特異的レクチン）並びに、
従来、フコース特異的といわれている以下の市販のレクチン：
ＬＣＡ（生化学バイオビジネス（株）−（株）Ｊ−オイルミルズ製）、
ＡＡＬ（生化学バイオビジネス（株）−（株）Ｊ−オイルミルズ製）、
Ｌｏｔｕｓ（生化学バイオビジネス（株）−（株）Ｊ−オイルミルズ製）、及び
ＵＥＡ−Ｉ（生化学バイオビジネス（株）−（株）Ｊ−オイルミルズ製）【００８０】
血清糖タンパク質（ヒト血清アルブミン（ＣＡＬＢＩＯＣＨＥＭ社製）、イムノグロブリンＧ（Ｓｉｇｍａ社製）、トランスフェリン（Ｓｉｇｍａ社製）、フィブリノーゲン（ＡｂＤ  Ｓｅｒｏｔｅｃ社製）、イムノグロブリンＡ（ＢＥＴＹＬ社製）、α２−マクログロブリン（ＢＭＯ社製）、イムノグロブリンＭ（ＲＯＣＫＬＡＮＤ社製）、補体Ｃ３（ＣＡＬＢＩＯＣＨＥＭ社製）、ハプトグロビン（ＢＩＯＤＥＳＩＧＮ社製）、α１−酸性糖タンパク（Ｓｉｇｍａ社製）、α―フェトプロテイン（Ｆｉｔｚｇｅｒａｌｄ社製）、α−フェトプロテインＬ３（和光純薬（株）製）、前立腺特異抗原（Scipac社製））を、ＰＢＳで１ｍｇ／ｍＬに溶解して、さらに０．１Ｍ  炭酸緩衝液（ｐＨ  ９．５）で１０ｎｇ／ｍＬに希釈した。希釈液をマイクロタイタープレート（Ｎｕｎｃ  ４３９４５４）に５０μＬ添加した後、３７℃で１時間保温した。０．０５％  Ｔｗｅｅｎ  ２０（ポリオキシエチレンソルビタンモノラウレート）（以下、Ｔｗｅｅｎと略す）／ＰＢＳで１回洗浄後、１％  子牛血清アルブミン（ＢＳＡ）／ＰＢＳをウェルに２００μＬ添加して、３７℃で１時間保温した。０．０５％  Ｔｗｅｅｎ／ＰＢＳで２回洗浄した。【００８１】
１％  ＢＳＡ／０．０５％  Ｔｗｅｅｎ／ＰＢＳで１μｇ／ｍＬに調製したビオチン標識化レクチン溶液を、上記ウェルに５０μＬ添加して、室温で１時間放置した。０．０５％  Ｔｗｅｅｎ／ＰＢＳで２回洗浄後、１％  ＢＳＡ／０．０５％  Ｔｗｅｅｎ／ＰＢＳで希釈したＨＲＰ標識ストレプトアビジン溶液（１μｇ／ｍＬ）を、ウェルに５０μＬ添加して室温で３０分間放置した。０．０５％  Ｔｗｅｅｎ／ＰＢＳで３回洗浄後、ＨＲＰ用発色基質（製品名：ＴＭＢ  Ｐｅｒｏｘｉｄａｓｅ  ｓｕｂｓｔｒａｔｅ  ｓｙｓｔｅｍ、ＫＰＬ社製）を５０μＬ添加し、室温で５分間放置した。【００８２】
１Ｍ  リン酸を５０μＬ添加し、反応を停止した。プレートリーダー  ＰＯＷＥＲＳＣＡＮ（登録商標）ＨＴ  （ＤＳ  ＰＨＡＲＭＡ社製）で４５０ｎｍにおける吸光度を測定した。【００８３】
４５０ｎｍにおける吸光度から、糖タンパクをプレートに固相化せず反応させたウェルの吸光度を差し引いた値を、反応値とした。反応値を以下の基準で分類することにより、親和性のランク付けを行った。結果を表２に示す。
◎：０．５以上
○：０．２〜０．５、
△：０．１〜０．２、
×：０〜０．１【００８４】
【表２】
2011089988.tif 000005
【００８５】
ＰＴＬは、フコースα１→６を含むα−フェトプロテインＬ３（ＡＦＰ−Ｌ３）や前立腺特異抗原（ＰＳＡ）に親和性を有するが、ほぼフコースを含まないハプトグロビンに親和性を示さなかった。ＬＣＡは、ＡＦＰ−Ｌ３のみに結合性を示す。ＡＡＬは、ＩｇＡ、α２ＭＧ等多くのフコシル化タンパク質に結合性を示す。結合様式はＰＴＬと似ているが、非特異的吸着の多さが目立つ。ＬｏｔｕｓやＵＥＡ−Ｉは、血清中の糖タンパクとは親和性が低い。【００８６】
以上の結果をまとめると、フコースとの結合性が従来知られているＬＣＡ、Ｌｏｔｕｓ及びＵＥＡ−Ｉでは、フコースα１→６糖鎖を有する糖タンパク質も検出できないことがある。また、ＡＡＬは、フコースα１→６糖鎖を有する糖タンパク質以外も検出してしまう。一方、ＰＴＬでは、フコースα１→６糖鎖を有する糖タンパク質のみに結合性を有する。【００８７】
〔実施例１〕ＰＴＬを用いたＥＬＩＳＡ法による膵臓癌細胞株の培養上清中の病変ハプトグロビンの検出
参考例１により、ＰＴＬは、ハプトグロビンに対して親和性を有しないことがわかった。そこで、膵臓癌細胞株（ＰＳＮ−１、ＤＳ  ＰＨＡＲＭＡ社より入手）の培養上清から抽出したハプトグロビン、及び陰性対照としてヒト血清由来ハプトグロビン（ＢＩＯＤＥＳＩＧＮ社より入手）に対して、それぞれ、ＰＴＬによる検出をＥＬＩＳＡ法で評価した。陽性対照としてＬＣＡ及びＡＡＬについても、ＰＴＬと同様の試験を行った。【００８８】
（膵臓癌細胞からのハプトグロビンの抽出）
膵臓癌細胞株の培養上清液１０００  ｍＬを、限外ろ過フィルター（製品名：ＶＩＶＡ  ＳＰＩＮ  ２０‐１０Ｋ、ザルトリウス社製）で１ｍＬに濃縮した。予め抗ハプトグロビン抗体（Ｔｈｅ  Ｂｉｎｄｉｎｇ  Ｓｉｔｅ社製）を固定化したゲル（ＮＨＳ−ａｃｔｉｖａｔｅｄ  Ｓｅｐｈａｒｏｓｅ  ４  Ｆａｓｔ  Ｆｌｏｗ（ＧＥヘルスケア社製）に上記濃縮液を添加した。室温で１０分毎に混和して１時間後、前記ゲルを含む溶液を０．４５μｍフィルターチューブ（ミリポア社製）に加え、４００×ｇ、温度４℃で５分間遠心し、ろ液を廃棄した。次に、ＰＢＳ  ２００μＬを加えて４００×ｇ、温度４℃で５分間遠心して、ろ液を廃棄した。これを２回繰り返した。次いで、Ｅｌｕｔｉｏｎ  Ｂｕｆｆｅｒ（１００ｍＭ  グリシン、０．５Ｍ  ＮａＣｌ、ｐＨ３．０）２００μＬを加えて、４００×ｇ、温度４℃で５分間遠心して、ろ液を回収した。これを２回繰り返した。この液を合わせて得たハプトグロビン（ＨＰ）溶液を３ＮのＮａＯＨで中和した後、ＰＢＳ  ６００μＬを加えた。【００８９】
（ＥLＩＳＡ法によるハプトグロビンの定量）
ＨＰ溶液に含まれるハプトグロビンを以下のＥＬＩＳＡ法で定量した。標準ハプトグロビン溶液としてヒト血清由来ハプトグロビン（Ｂｉｏｄｅｉｇｎ社製）を１％  ＢＳＡ／ＰＢＳで０〜２００ｎｇ／ｍＬに溶解したものを使用した。マウスモノクローナル抗ハプトグロビン抗体（日本バイオテスト社製）を、０．１Ｍ  炭酸緩衝液（ｐＨ  ９．５）で１０，０００倍希釈した。希釈液をマイクロタイタープレート（Ｎｕｎｃ社製）に５０μＬ添加し、３７℃で１時間保温した。０．０５％  Ｔｗｅｅｎ／ＰＢＳで１回洗浄後、１％  ＢＳＡ／ＰＢＳをウェルに２００μＬ添加して３７℃で１時間保温した。０．０５％  Ｔｗｅｅｎ／ＰＢＳで２回洗浄後、標準ハプトグロビン溶液又はHP溶液を５０μＬ添加して３７℃で１時間保温した。０．０５％  Ｔｗｅｅｎ／ＰＢＳで２回洗浄後、１％  ＢＳＡ／０．０５％  Ｔｗｅｅｎ／ＰＢＳで適宜希釈したヒツジポリクローナル抗ハプトグロビン抗体（Ｔｈｅ  Ｂｉｎｄｉｎｇ  Ｓｉｔｅ社製）溶液をウェルに５０μＬ添加して室温で１時間放置した。０．０５％  Ｔｗｅｅｎ／ＰＢＳで２回洗浄後、１％  ＢＳＡ／０．０５％  Ｔｗｅｅｎ／ＰＢＳで適宜希釈したＨＲＰ標識抗ヒツジＩｇＧ抗体（ミリポア社製）溶液を５０μＬ添加して室温で３０分間放置した。０．０５％  Ｔｗｅｅｎ／ＰＢＳで３回洗浄後、ＨＲＰ用発色基質（製品名：ＴＭＢ  Ｐｅｒｏｘｉｄａｓｅ  ｓｕｂｓｔｒａｔｅ  ｓｙｓｔｅｍ、ＫＰＬ社製）を５０μＬ添加し、室温で５分間放置した。１Ｍ  リン酸を５０μＬ添加し、反応を停止した。プレートリーダー（製品名：ＰＯＷＥＲＳＣＡＮ（登録商標）ＨＴ、ＤＳ  ＰＨＡＲＭＡ社製）で４５０ｎｍにおける吸光度を測定した。【００９０】
標準ハプトグロビン溶液の吸光度から検量線を作成し、上記膵臓癌細胞由来ＨＰ溶液のハプトグロビン濃度を算出した。【００９１】
（病変ハプトグロビンとＰＴＬとの反応）
ＨＰ溶液に含まれる病変ハプトグロビンを以下のＥＬＩＳＡ法で検出した。上記で得たＨＰ溶液を０．１Ｍ  炭酸緩衝液（ｐＨ  ９．５）でハプトグロビンが１０ｎｇ／ｍＬになるように希釈した（ＨＰ希釈溶液）。陰性対照としてヒト血清由来ハプトグロビン（Ｂｉｏｄｅｓｉｇｎ社製）も同様に１０ｎｇ／ｍＬになるように調製した（ヒト血清由来ハプトグロビン溶液）。ＨＰ希釈溶液及びヒト血清由来ハプトグロビン溶液をマイクロタイタープレート（Ｎｕｎｃ社製）に５０μＬ添加し、３７℃で１時間保温した。０．０５％  Ｔｗｅｅｎ／ＰＢＳで１回洗浄後、１％  ＢＳＡ／ＰＢＳをウェルに２００μＬ添加して３７℃で１時間保温した。【００９２】
０．０５％  Ｔｗｅｅｎ／ＰＢＳで２回洗浄後、１％  ＢＳＡ／０．０５％  Ｔｗｅｅｎ／ＰＢＳで適宜希釈したビオチン標識化ＰＴＬ溶液をウェルに５０μＬ添加して室温で１時間放置した。０．０５％  Ｔｗｅｅｎ／ＰＢＳで２回洗浄後、１％  ＢＳＡ／０．０５％  Ｔｗｅｅｎ／ＰＢＳで希釈したＨＲＰ標識ストレプトアビジン溶液（１μｇ／ｍＬ）を５０μＬ添加して室温で３０分間放置した。０．０５％  Ｔｗｅｅｎ／ＰＢＳで３回洗浄後、ＨＲＰ用発色基質（製品名：ＴＭＢ  Ｐｅｒｏｘｉｄａｓｅ  ｓｕｂｓｔｒａｔｅ  ｓｙｓｔｅｍ、ＫＰＬ社製）を５０μＬ添加し、室温で５分間放置した。１Ｍ  リン酸を５０μＬ添加し、反応を停止した。プレートリーダー（製品名：ＰＯＷＥＲＳＣＡＮ（登録商標）ＨＴ、ＤＳ  ＰＨＡＲＭＡ社製）で４５０ｎｍにおける吸光度を測定した。【００９３】
比較のために、ＰＴＬの代わりに、ＬＣＡ及びＡＡＬを用いた試験も同様に行った。【００９４】
４５０ｎｍにおける吸光度から、ＨＰ希釈溶液等をプレートに固相化せず反応させたウェルの吸光度を差し引いた値を、反応値とした。図５〜７に、ヒト血清と膵臓癌細胞由来のハプトグロビンの反応値を並べて示す。【００９５】
図５〜７に示すとおり、ＰＴＬは、ヒト血清由来のハプトグロビンと親和性を有しない。しかし、膵臓癌細胞の培養上清由来のハプトグロビンとは親和性を有している。ＬＣＡでは、膵臓癌細胞由来ハプトグロビンとヒト血清由来ハプトグロビンの両方に対して親和性が低い。ＡＡＬでも両者の差異を検出できるが、その相対比はＰＴＬより小さい。以上の結果から、膵臓癌細胞由来のハプトグロビンにフコースα１→６特異的レクチンであるＰＴＬを作用させることにより、膵臓癌を検出できることが判明した。【００９６】
〔実施例２〕ＰＴＬを用いたＥＬＩＳＡ法による膵臓癌患者の血清中の病変ハプトグロビンの検出
実施例１によって、フコースα１→６特異的レクチンであるＰＴＬを用いれば、膵臓癌の腫瘍マーカーとしての病変ハプトグロビンを検出可能であることが判明した。そこで実際に、健常者（ｎ＝９，男性６名、女性３名、平均年齢３２．８歳）（略号：健常１〜９）、膵臓癌患者（ｎ＝８，男性４名、女性４名、平均年齢５２．１歳）（略号：膵癌１〜８）及び、膵炎患者（ｎ＝４，男性１名、女性３名、平均年齢５９．５歳）（略号：膵炎１〜４）から取得した血清に対して、それぞれ、ＰＴＬによる病変ハプトグロビンの検出をＥＬＩＳＡ法で評価した。比較のため、ＡＡＬについても、ＰＴＬと同様の試験を行った。【００９７】
（血清からのハプトグロビンの抽出）
健常者、膵臓癌患者及び膵炎患者の血清１０μＬを、ＰＢＳ  １９０μＬで希釈した。抗ハプトグロビン抗体（Ｔｈｅ  Ｂｉｎｄｉｎｇ  Ｓｉｔｅ社製）固定化ゲルに上記血清希釈液を添加した。１０分毎に混和しながら、室温で１時間放置した。前記ゲルを含む溶液を０．４５μｍフィルターチューブ（ミリポア社製）に加え、４００×ｇ、温度４℃で５分間遠心し、ろ液を廃棄した。次に、ＰＢＳ２００μＬを加え、４００×ｇ、温度４℃で５分間遠心して、ろ液を廃棄した。これを２回繰り返した。Ｅｌｕｔｉｏｎ  Ｂｕｆｆｅｒ（１００ｍＭ  グリシン、０．５M  ＮａＣｌ、ｐＨ３．０）２００μＬを加え、４００×ｇ、温度４℃で５分間遠心して、ろ液を回収した。これを２回繰り返した。得られたろ液を合わせてＨＰ溶液とし、３ＮのＮａＯＨで中和し、ＰＢＳ  ６００μＬを加えた。【００９８】
（ＥLＩＳＡ法による病変ハプトグロビンの検出）
ＨＰ溶液に含まれる病変ハプトグロビンの検出を以下のＥＬＩＳＡ法で行った。まず、上記で得たＨＰ溶液を、０．１Ｍ  炭酸緩衝液（ｐＨ  ９．５）で１０倍希釈した。希釈液をマイクロタイタープレート（Ｎｕｎｃ社製）に５０μＬ添加し、３７℃で１時間保温した。０．０５％  Ｔｗｅｅｎ／ＰＢＳで１回洗浄後、１％  ＢＳＡ／ＰＢＳをウェルに２００μＬ添加して３７℃で１時間保温した。０．０５％  Ｔｗｅｅｎ／ＰＢＳで２回洗浄後、１％  ＢＳＡ／０．０５％  Ｔｗｅｅｎ／ＰＢＳで適宜希釈したビオチン標識化レクチン溶液をウェルに５０μＬ添加して室温で１時間放置した。０．０５％  Ｔｗｅｅｎ／ＰＢＳで２回洗浄後、１％  ＢＳＡ／０．０５％  Ｔｗｅｅｎ／ＰＢＳで希釈したＨＲＰ標識ストレプトアビジン溶液（１μｇ／ｍＬ）を５０μＬ添加して室温で３０分間放置した。０．０５％  Ｔｗｅｅｎ／ＰＢＳで３回洗浄後、ＨＲＰ用発色基質（製品名：ＴＭＢ  Ｐｅｒｏｘｉｄａｓｅ  ｓｕｂｓｔｒａｔｅ  ｓｙｓｔｅｍ、ＫＰＬ社製）を５０μL添加し、室温で５分間放置した。１Ｍ  リン酸を５０μＬ添加し、反応を停止した。プレートリーダー（製品名：ＰＯＷＥＲＳＣＡＮ（登録商標）ＨＴ、ＤＳ  ＰＨＡＲＭＡ社製）で４５０ｎｍにおける吸光度を測定した。【００９９】
４５０ｎｍにおける吸光度から、ＨＰ溶液をプレートに固相化せず反応させたウェルの吸光度を差し引いた値を、反応値とした。図８及び９に、その結果を示す。【０１００】
図８及び９に示すとおり、ＰＴＬによる病変ハプトグロビンの反応値は、健常者血清及び膵炎患者血清よりも、膵臓癌患者血清のみにおいて明らかに高い値を示す。ＡＡＬでは、健常者と膵臓癌患者間の差異を検出できたが、患者によっては、健常者の反応値よりも低い反応値が検出された。【０１０１】
（ＥＬＩＳＡ法によるＣＡ１９―９の定量）
健常者、膵臓癌患者及び膵炎患者の血清に含まれる腫瘍マーカーＣＡ１９−９の定量を以下のＥＬＩＳＡ法で行った。標準試料としてＬｙｐｈｏｃｈｅｃｋ  Ｔｕｍｏｒ  Ｍａｋｅｒ  Ｃｏｎｔｒｏｌ（ＢＩＯ−ＲＡＤ社製）を使用した。マウスモノクローナル抗ＣＡ１９−９抗体（Ｆｉｔｚｇｅｒａｌｄ社製）を、０．１Ｍ  炭酸緩衝液（ｐＨ  ９．５）で１０００倍希釈した。希釈液をマイクロタイタープレート（Ｎｕｎｃ社製）に５０μＬ添加し、３７℃で１時間保温した。０．０５％  Ｔｗｅｅｎ／ＰＢＳで１回洗浄後、１％  ＢＳＡ／ＰＢＳをウェルに２００μＬ添加して３７℃で１時間保温した。０．０５％  Ｔｗｅｅｎ／ＰＢＳで２回洗浄後、各血清を５０μＬ添加して３７℃で１時間保温した。０．０５％  Ｔｗｅｅｎ／ＰＢＳで２回洗浄後、１％  ＢＳＡ／０．０５％  Ｔｗｅｅｎ／ＰＢＳで適宜希釈したラビットポリクローナル抗ＣＡ１９−９抗体（Ａｃｒｉｓ社製）溶液をウェルに５０μＬ添加して３７℃で１時間保温した。０．０５％  Ｔｗｅｅｎ／ＰＢＳで２回洗浄後、１％  ＢＳＡ／０．０５％  Ｔｗｅｅｎ／ＰＢＳで適宜希釈したＨＲＰ標識抗ラビットＩｇＧ抗体（ケミコン社製）溶液を５０μＬ添加して３７℃で３０分間保温した。０．０５％  Ｔｗｅｅｎ／ＰＢＳで３回洗浄後、ＨＲＰ用発色基質（製品名：ＴＭＢ  Ｐｅｒｏｘｉｄａｓｅ  ｓｕｂｓｔｒａｔｅ  ｓｙｓｔｅｍ、ＫＰＬ社製）を５０μＬ添加し、室温で５分間放置した。１Ｍ  リン酸を５０μＬ添加し、反応を停止した。プレートリーダー（製品名：ＰＯＷＥＲＳＣＡＮ（登録商標）ＨＴ、ＤＳ  ＰＨＡＲＭＡ社製）で４５０ｎｍにおける吸光度を測定した。【０１０２】
標準試料の反応値から検量線を作成し、各血清中のＣＡ１９−９濃度を算出した。表３及び図１０にその結果を示す。【０１０３】
【表３】
2011089988.tif 000006
【０１０４】
図１０に示すとおり、健常者、膵臓癌患者、膵炎患者の血清中の腫瘍マーカーCA１９−９量は、健常者血清よりも膵炎患者血清及び膵臓癌患者血清のいずれにおいても明らかに高い値を示す。よって、腫瘍マーカーＣＡ１９−９を検出するだけでは膵炎と膵臓癌の判別が困難であることが分かる。【０１０５】
一方、図８及び図１０に示すように、腫瘍マーカーＣＡ１９−９量が健常者よりも多い患者に対して、フコースα１→６特異的レクチンで病変ハプトグロビンを検出することで、膵炎患者と膵臓癌患者を判別することができる。【０１０６】
（ＥLＩＳＡ法による病変ハプトグロビンの検出）において、レクチンに代えて抗ハプトグロビン抗体を用いてハプトグロビンの測定を行った。健常１の反応値（吸光度）を１としたときの相対値を相対ハプトグロビン量（相対ＨＰ量）として図１１に示した。さらに、図８及び９の反応値（吸光度）を相対ＨＰ量で除することにより、［吸光度／相対ＨＰ量］を求めた。［吸光度／相対ＨＰ量］は、各検体のハプトグロビンの相対的なフコシル化度を意味する。結果を図１２及び１３に示す。【０１０７】
図１２及び１３に示すとおり、ＰＴＬは正常細胞が膵臓癌になる際のハプトグロビンの糖鎖の変化を従来のレクチンよりも精度高く検出できることがわかる。吸光度／相対ＨＰ量は、また、ハプトグロビンのフコシル化度を表しているので、膵臓癌の臨床病期の指標になることが予想される。このように、ハプトグロビンあたりのフコースα１→６特異的レクチンにより検出される病変ハプトグロビン量においても膵臓癌の検出ができる。【０１０８】
以上の結果から、ＰＴＬで病変ハプトグロビンを検出することにより、膵臓癌患者の血清から膵臓癌を検出できることが判明した。ＰＴＬは、正常細胞の膵臓癌への癌化において、腫瘍マーカーとして病変ハプトグロビンを従来知られているフコースα１→６特異的レクチンよりも精度高く検出できる。ＰＴＬの特異性の高さから、フコースα１→６糖鎖以外が混在する糖鎖化合物群から目的のフコースα１→６糖鎖化合物を他のレクチンよりも正確に検出できる可能性が高い。さらに、膵臓に疾患のある場合に健常者より高値を示す腫瘍マーカーCA１９−９とＰＴＬによる病変ハプトグロビンの検出を組み合わせることで膵炎と膵臓癌の判別も可能である。これは、ＰＴＬを糖鎖に作用させることからなる膵臓癌あるいは膵炎の診断薬又は診断薬キットに利用できる。
【図１】
2011089988.tif 000007
【図２】
2011089988.tif 000008
【図３】
2011089988.tif 000009
【図４】
2011089988.tif 000010
【図５】
2011089988.tif 000011
【図６】
2011089988.tif 000012
【図７】
2011089988.tif 000013
【図８】
2011089988.tif 000014
【図９】
2011089988.tif 000015
【図１０】
2011089988.tif 000016
【図１１】
2011089988.tif 000017
【図１２】
2011089988.tif 000018
【図１３】
2011089988.tif 000019
【配列表】
2011089988000001.app
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
生体から取得した検体に含まれる病変ハプトグロビンに、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌の検出方法。
【請求項２】
前記フコースα１→６特異的レクチンは、さらに、（４）フコースα１→６糖鎖を含まないハイマンノース糖鎖及び／又は糖脂質に対して実質的に結合しないことを特徴とする、請求項１に記載の膵臓癌の検出方法。
【請求項３】
前記担子菌が、モエギタケ科、キシメジ科、テングタケ科又はタコウキン科に属することを特徴とする、請求項１に記載の膵臓癌の検出方法。
【請求項４】
前記担子菌が、ツチスギタケ、スギタケ、ヌメリスギタケモドキ、サケツバタケ、クリタケ、コムラサキシメジ又はベニテングタケであることを特徴とする、請求項３に記載の膵臓癌の検出方法。
【請求項５】
前記検体は、ヒトから採取した血清又は血漿であることを特徴とする、請求項１に記載の膵臓癌の検出方法。
【請求項６】
前記フコースα１→６特異的レクチンと1種以上のレクチン又は抗体を用いて病変ハプトグロビンを検出することを特徴とする、請求項１に記載の膵臓癌の検出方法。
【請求項７】
前記フコースα１→６特異的レクチンと抗ハプトグロビン抗体とを用いたアッセイにより、病変ハプトグロビンを検出することを特徴とする、請求項１に記載の膵臓癌の検出方法。
【請求項８】
前記フコースα１→６特異的レクチンは、標識されていることを特徴とする、請求項１に記載の膵臓癌の検出方法。
【請求項９】
血清中のＣＡ１９−９量が３０U／ｍＬ以上である生体から取得した検体に含まれる病変ハプトグロビンに、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示されるフコースα１→６特異的レクチンを作用させることを特徴とする、膵臓癌又は膵炎の検出方法。
【請求項１０】
前記フコースα１→６特異的レクチンは、さらに、（４）フコースα１→６糖鎖を含まないハイマンノース糖鎖及び／又は糖脂質に対して実質的に結合しないことを特徴とする、請求項９に記載の膵臓癌又は膵炎の検出方法。
【請求項１１】
前記担子菌が、モエギタケ科、キシメジ科、テングタケ科又はタコウキン科に属することを特徴とする、請求項９に記載の膵臓癌と膵炎との判別方法。
【請求項１２】
前記担子菌が、ツチスギタケ、スギタケ、ヌメリスギタケモドキ、サケツバタケ、クリタケ、コムラサキシメジ又はベニテングタケであることを特徴とする、請求項１１に記載の膵臓癌又は膵炎の検出方法。
【請求項１３】
前記検体は、ヒトから採取した血清又は血漿であることを特徴とする、請求項９に記載の膵臓癌又は膵炎の検出方法。
【請求項１４】
前記フコースα１→６特異的レクチンと1種以上のレクチン又は抗体を用いて病変ハプトグロビンを検出することを特徴とする、請求項９に記載の膵臓癌又は膵炎の検出方法。
【請求項１５】
前記フコースα１→６特異的レクチンと抗ハプトグロビン抗体とを用いたアッセイにより、病変ハプトグロビンを検出することを特徴とする、請求項９に記載の膵臓癌又は膵炎の検出方法。
【請求項１６】
前記フコースα１→６特異的レクチンは、標識されていることを特徴とする、請求項９に記載の膵臓癌又は膵炎の検出方法。
【請求項１７】
フコースα１→６特異的レクチンであって、
（１）担子菌から抽出することができ、
（２）ＳＤＳポリアクリルアミド電気泳動法による分子量が４，０００〜４０，０００であり、及び、
（３）フコースα１→６糖鎖に対して結合定数１．０×１０４Ｍ−１以上（２５℃において）の親和性を有する
で示される前記フコースα１→６特異的レクチンを含む、膵臓癌及び／又は膵炎の検出用診断薬又はキット。
【請求項１８】
さらに、抗ハプトグロビン抗体を含む、請求項１７に記載の膵臓癌及び／又は膵炎の検出用診断薬又はキット。
【請求項１９】
さらに、抗ＣＡ１９−９抗体を含む、請求項１７に記載の膵臓癌及び／又は膵炎の検出用診断薬又はキット。
【手続補正書】
【提出日】平成23年9月28日(2011.9.28)
【手続補正１】
【補正対象書類名】特許請求の範囲
【補正対象項目名】請求項１１
【補正方法】変更
【補正の内容】
【請求項１１】
前記担子菌が、モエギタケ科、キシメジ科、テングタケ科又はタコウキン科に属することを特徴とする、請求項９に記載の膵臓癌又は膵炎の検出方法。
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
生体から取得した検体に含まれる病変ハプトグロビンに、
（１）担子菌から抽出することができ、
（２）ＳＤＳポリアクリルアミド電気泳動法による分子量が４，０００〜４０，０００であり、
（３）フコースα１→６糖鎖に対して２５℃において結合定数１．０×１０４Ｍ−１以上の親和性を有し、及び
（４）フコースα１→６糖鎖を含まないハイマンノース糖鎖及び／又は糖脂質に対して２５℃において結合定数が１．０×１０３Ｍ−１以下である
で示されるフコースα１→６特異的レクチンを作用させることを特徴とする、膵臓癌の検出方法。
【請求項２】
前記担子菌が、モエギタケ科、キシメジ科、テングタケ科又はタコウキン科に属することを特徴とする、請求項１に記載の膵臓癌の検出方法。
【請求項３】
前記担子菌が、ツチスギタケ、スギタケ、ヌメリスギタケモドキ、サケツバタケ、クリタケ、コムラサキシメジ又はベニテングタケであることを特徴とする、請求項２に記載の膵臓癌の検出方法。
【請求項４】
前記検体は、ヒトから採取した血清又は血漿であることを特徴とする、請求項１〜３のいずれかに記載の膵臓癌の検出方法。
【請求項５】
前記フコースα１→６特異的レクチンと1種以上のレクチン又は抗体を用いて病変ハプトグロビンを検出することを特徴とする、請求項１〜４のいずれかに記載の膵臓癌の検出方法。
【請求項６】
前記フコースα１→６特異的レクチンと抗ハプトグロビン抗体とを用いたアッセイにより、病変ハプトグロビンを検出することを特徴とする、請求項１〜５のいずれかに記載の膵臓癌の検出方法。
【請求項７】
前記フコースα１→６特異的レクチンは、標識されていることを特徴とする、請求項１〜６のいずれかに記載の膵臓癌の検出方法。
【請求項８】
血清中のＣＡ１９−９量が３０U／ｍＬ以上である生体から取得した検体に含まれる病変ハプトグロビンに、
（１）担子菌から抽出することができ、
（２）ＳＤＳポリアクリルアミド電気泳動法による分子量が４，０００〜４０，０００であり、
（３）フコースα１→６糖鎖に対して２５℃において結合定数１．０×１０４Ｍ−１以上の親和性を有し、及び
（４）フコースα１→６糖鎖を含まないハイマンノース糖鎖及び／又は糖脂質に対して２５℃において結合定数が１．０×１０３Ｍ−１以下である
で示されるフコースα１→６特異的レクチンを作用させることを特徴とする、膵臓癌又は膵炎の検出方法。
【請求項９】
前記担子菌が、モエギタケ科、キシメジ科、テングタケ科又はタコウキン科に属することを特徴とする、請求項８に記載の膵臓癌又は膵炎の検出方法。
【請求項１０】
前記担子菌が、ツチスギタケ、スギタケ、ヌメリスギタケモドキ、サケツバタケ、クリタケ、コムラサキシメジ又はベニテングタケであることを特徴とする、請求項９に記載の膵臓癌又は膵炎の検出方法。
【請求項１１】
前記検体は、ヒトから採取した血清又は血漿であることを特徴とする、請求項８〜１０のいずれかに記載の膵臓癌又は膵炎の検出方法。
【請求項１２】
前記フコースα１→６特異的レクチンと1種以上のレクチン又は抗体を用いて病変ハプトグロビンを検出することを特徴とする、請求項８〜１１のいずれかに記載の膵臓癌又は膵炎の検出方法。
【請求項１３】
前記フコースα１→６特異的レクチンと抗ハプトグロビン抗体とを用いたアッセイにより、病変ハプトグロビンを検出することを特徴とする、請求項８〜１２のいずれかに記載の膵臓癌又は膵炎の検出方法。
【請求項１４】
前記フコースα１→６特異的レクチンは、標識されていることを特徴とする、請求項８〜１３のいずれかに記載の膵臓癌又は膵炎の検出方法。
【請求項１５】
フコースα１→６特異的レクチンであって、
（１）担子菌から抽出することができ、
（２）ＳＤＳポリアクリルアミド電気泳動法による分子量が４，０００〜４０，０００であり、
（３）フコースα１→６糖鎖に対して２５℃において結合定数１．０×１０４Ｍ−１以上の親和性を有し、及び
（４）フコースα１→６糖鎖を含まないハイマンノース糖鎖及び／又は糖脂質に対して２５℃において結合定数が１．０×１０３Ｍ−１以下である
で示される前記フコースα１→６特異的レクチンを含む、膵臓癌及び／又は膵炎の検出用診断薬又はキット。
【請求項１６】
さらに、抗ハプトグロビン抗体を含む、請求項１５に記載の膵臓癌及び／又は膵炎の検出用診断薬又はキット。
【請求項１７】
さらに、抗ＣＡ１９−９抗体を含む、請求項１５又は１６に記載の膵臓癌及び／又は膵炎の検出用診断薬又はキット。
【国際調査報告】
2011089988.tif 000020
2011089988.tif 000021
2011089988.tif 000022
2011089988.tif 000023
2011089988.tif 000024